(57)【特許請求の範囲】
【請求項１】
光送信手段及び光受信手段を有する親機と、この親機に従属し、且つ、光送信手段及び光受信手段をそれぞれ有する複数の子機とで少なくとも構成され、前記親機と交信を希望する前記子機との間で光情報信号を半二重光通信方式により送受信する際に用いる前記子機のＩＤ番号が各子機同士互いに異なるように該子機のＩＤ番号を取得するにあたって、
前記複数の子機のうちで一つの子機が乱数を用いてＩＤ番号を生成し、且つ、前記親機からの光回線空き信号を受信した時に、前記一つの子機が前記ＩＤ番号を付与した光回線使用要求信号を前記親機に向けて送信すると共に、前記親機は前記一つの子機からの前記光回線使用要求信号を受信して、この光回線使用要求信号中から検出した前記一つの子機のＩＤ番号を付与した光回線使用許可信号を前記複数の子機に向けて送信し、更に、前記複数の子機が前記親機からの前記光回線使用許可信号に付与された前記一つの子機のＩＤ番号を検出することで、前記一つの子機以外の他の子機のＩＤ番号が該一つの子機のＩＤ番号と一致した時には、前記一つの子機のＩＤ番号と一致した子機のみが取得済みのＩＤ番号を破棄して前記乱数を用いて新たなＩＤ番号に更新するように成した光無線通信システムであって、
各子機は、前記ＩＤ番号を初期化するＩＤ初期化部と、前記ＩＤ番号を生成する必要性があるか否かを判定する判定部と、前記判定部で前記ＩＤ番号を生成する必要性があると判定したときに前記乱数を用いて該ＩＤ番号を生成するＩＤ番号生成部と、前記ＩＤ番号生成部で生成した前記ＩＤ番号を保持するＩＤ番号保持部と、前記ＩＤ番号保持部からの前記ＩＤ番号と前記親機から送られた前記光回線使用許可信号中から検出したＩＤ番号とを入力して両ＩＤ番号の一致性を比較するＩＤ番号比較部と、前記判定部の入力側と前記ＩＤ番号比較部の出力側との間に介装されて前記子機が前記光回線使用要求信号を送信した後に前記親機から送られる前記光回線使用許可信号を待つ間は開かれて前記判定部を介して前記ＩＤ番号生成部を動作させないように切り換えるスイッチング手段とを備え、
前記ＩＤ初期化部からの初期化状態と前記ＩＤ番号比較部からの比較結果とを前記判定部に入力してＩＤ番号生成の必要性を判定することを特徴とする光無線通信システム。
【発明の詳細な説明】
【０００１】
【発明の属する技術分野】
本発明は、親機と複数の子機との間で光情報信号を半二重光通信方式により送受信する際に、親機側で複数の子機のＩＤ番号（識別番号）を管理することなく、複数の子機のＩＤ番号が互いに異なるように子機側で乱数を用いてＩＤ番号を取得できる光無線通信システムに関するものである。
【０００２】
【従来の技術】
近年、情報信号のディジタル化に伴って、周知のイーサネット環境下となるＩＥＥＥ（アメリカ電気電子技術者協会）８０２．３規格に準拠したＣＳＭＡ（Carrier Sense Multiple Access : 搬送波感知多重アクセス）方式を採用して、各種のＯＡ (Office Automation)端末機器間のデータをイーサネット環境下で有線及び／又は光無線により相互に（双方向に）授受できるＬＡＮ（Local Area Network）が既に構築されている。尚、上記したイーサネット（Ethernet）とは、１９８０年にアメリカのゼロックス社，ＤＥＣ社，インテル社が共同開発したネットワークであり、ＬＡＮに利用され、ネットワークの構造はバス型である。
【０００３】
このようなＬＡＮを構築する際、有線による接続は、機械的に確実な接続が可能なので、外来雑音によるデータ誤りが少ないなどの点では有利であるものの、配線工事が煩雑であり、レイアウト変更ごとに配線工事が必要であるなどの問題点がある。
【０００４】
また、最近では、ラップトップ型，ブック型，パームトップ型などのパソコン(Personal Computer）や電子手帳などの携帯型情報処理機器を相互に接続してデータ伝送を行う要求も高まっている。一方で、これらの携帯型情報処理機器は、元々携帯移動して使用することを目的とした機器であり、有線により接続した状態のままで携帯移動するようなことは極めて希である。このため、これらの携帯型情報処理機器を相互に接続してデータ伝送を行う場合は、その移動ごとにコネクタの抜き差しが行われることになり、このような接続作業は非常に面倒である。また、コネクタの抜き差しを繰り返すと、当該コネクタの接続部の機械的破損が発生する虞もある。
【０００５】
これらのことから、据置型，携帯型に限らず、各種の情報処理機器間でデータの送受信を行う場合には、伝送路の全部または一部を無線化して、有線による接続を減らしたいという要求がある。
【０００６】
ここで、当該無線伝送の手法としては、電波を伝送媒体としたものと、光を伝送媒体としたものとがある。これら電波、光の何れの伝送媒体を使用しても高速データ伝送が実現可能であるものの、電波の場合は法的な規制があるため、法的規制のない光を伝送媒体とした光無線伝送が有利である。
【０００７】
このようなことから、本出願人は、特開平７−２５００８３号公報において、伝送媒体として光を用い、１０Ｍｂｐｓ（Mega bit per second ）程度の伝送速度を実現する「構内情報通信システム」を既に提案している。
【０００８】
図１０は従来の構内情報通信システムを説明するための全体構成図である。
【０００９】
図１０に示した従来の構内情報通信システム１００は、上記した特開平７−２５００８３号公報に開示されているものであり、ここでは簡略に説明する。
【００１０】
図１０において、複数室（例えばＡ室，Ｂ室）は隣り合う室から光が入り込まないように不透明な壁（光遮蔽材）Ｋなどを用いて周囲を間切りして形成されている。また、各室（Ａ室，Ｂ室）には、イーサネット環境下で電気的な情報信号を伝送するＬＡＮケーブル１０１が同軸ケーブル，ツイストペア線，光ファイバケーブルなどを用いて配線されている。
【００１１】
また、ＬＡＮケーブル１０１から各室（Ａ室，Ｂ室）ごとに変換コネクタ１０２（１０２Ａ，１０２Ｂ）により分岐して、各室ごとに親機１１０（１１０Ａ，１１０Ｂ）まで有線で夫々接続されている。
【００１２】
また、各室（Ａ室，Ｂ室）には、親機１１０（１１０Ａ，１１０Ｂ）と光情報信号を相互に（双方向に）光無線で交信する複数の子機１２０（１２０Ａ，１２０Ｂ）が設置されている。更に、これら複数の子機１２０（１２０Ａ１〜１２０Ａ５，１２０Ｂ１〜１２０Ｂ２）には、パソコン，プリンタなどのＯＡ端末機器１３０（１３０Ａ１〜１３０Ａ５，１３０Ｂ１〜１３０Ｂ２が有線で夫々接続されており、両者１２０，１３０間で電気的な情報信号を相互に授受できるようになっている。
【００１３】
また、親機１１０と複数の子機１２０との間で光情報信号を相互に光無線で交信する際、必要に応じて中継機１４０が設置されている。この中継機１４０は、親機１１０からの光情報信号を子機１２０に光無線で単に中継したり、あるいは子機１２０からの光情報信号を親機１１０に光無線で単に中継する機能を備えている。この際、必要に応じて中継機１４０を設置する理由は、親機１１０と子機１２０との間に複数の光伝送路を形成してシステムの信頼性を高めたり、あるいは光が直進しても例えばＡ室内で親機１１０Ａから比較的遠い位置に設置したために光無線が届かない子機１２０Ａ３がある場合とか、もしくは同室内を不透明な仕切り板Ｓに遮られて光無線が届かない子機１２０Ａ４，１２０Ａ５などがある場合などにより中継機１４０を適宜な場所に設置すれば良いものである。
【００１４】
この際、ＬＡＮケーブル１０１と接続した複数の親機１１０及び複数の子機１２０と接続した複数のＯＡ端末機器１３０には、夫々固有のアドレス（送信元アドレス，宛先アドレス）として、イーサネット環境下におけるイーサネット・アドレスが夫々付与されており、更に、同室内の親機１１０，複数の子機１２０，複数のＯＡ端末機器１３０には室内固有のＩＤ番号が夫々付与されている。また、一つの親機１１０に従属するイーサネット・アドレス，ＩＤ番号は親機１１０内の図示しないアドレス・メモリテーブルのもとで管理されており、異なる室間ではイーサネット・アドレスが参照され、同室内ではＩＤ番号が参照されている。従って、とくに、同一室内の親機１１０，複数の子機１２０，複数のＯＡ端末機器１３０同士で情報信号を授受する場合には、短いアドレスのＩＤ番号を参照しているので、アドレス判断を迅速に行うことができる。
【００１５】
ここで、上記構成による従来の構内情報通信システム１００では、同室内の親機１１０と複数の子機１２０との間で光情報信号を相互に光無線で交信する際に複数の子機１２０同士の衝突現象を生じさせないために、親機１１０は子機１２０からの光情報信号のキャリアが無い時に子機１２０からの送信を許可するためのタイミング信号を間欠的に発生し、このタイミング信号を子機１２０に向けて送信する一方、子機１２０は親機１１０からのタイミング信号を検出し、且つ、親機１１０への送信を希望した時に乱数を発生し、タイミング信号を検出した後のタイミング信号の数と乱数とが合致した時にのみ子機１２０から光情報信号を送信するように構成している。
【００１６】
【発明が解決しようとする課題】
ところで、上記した従来の構内情報通信システム１００によると、同室内の親機１１０と複数の子機１２０との間で光情報信号を相互に光無線で交信する際に、前述したように同室内の親機１１０，複数の子機１２０，複数のＯＡ端末機器１３０には室内固有のＩＤ番号が夫々付与され、同室内では短いアドレスのＩＤ番号を参照しているので、アドレス判断を迅速に行うことができるものの、各ＩＤ番号は親機１１０内の図示しないアドレス・メモリテーブルのもとで管理されているため、親機１１０内に各ＩＤ番号を記憶する記憶手段と、各ＩＤ番号を管理する管理手段とを設ける必要があり、親機１１０の構成及び動作が複雑になっている。
【００１７】
また、一つの子機１２０が親機１１０への送信を希望した時に乱数を発生して、親機１１０からのタイミング信号を検出した後のタイミング信号の数と乱数とが合致した時にのみ子機１２０から光情報信号を親機１１０に向けて送信しているために、同室内で複数の子機１２０同士の衝突現象を防ぐことができるものの、他の子機１２０が同時に電源を立ち上げて偶然にも同一の乱数を発生させた場合には衝突現象が生じる危険性が残されている。
【００１８】
そこで、親機側で複数の子機の各ＩＤ番号を記憶及び管理することなく、しかも、複数の子機のうちで一つの子機が電源を立ち上げてＩＤ番号を取得する時に、他の子機が同時に電源を立ち上げて偶然にも同一の乱数を発生させるような現象を生じさせずに、子機同士の衝突現象を完全に防ぐことができる光無線通信システムが望まれている。
【００１９】
【課題を解決するための手段】
本発明は上記課題に鑑みてなされたものであり、請求項１記載の発明は、光送信手段及び光受信手段を有する親機と、この親機に従属し、且つ、光送信手段及び光受信手段をそれぞれ有する複数の子機とで少なくとも構成され、前記親機と交信を希望する前記子機との間で光情報信号を半二重光通信方式により送受信する際に用いる前記子機のＩＤ番号が各子機同士互いに異なるように該子機のＩＤ番号を取得するにあたって、
前記複数の子機のうちで一つの子機が乱数を用いてＩＤ番号を生成し、且つ、前記親機からの光回線空き信号を受信した時に、前記一つの子機が前記ＩＤ番号を付与した光回線使用要求信号を前記親機に向けて送信すると共に、前記親機は前記一つの子機からの前記光回線使用要求信号を受信して、この光回線使用要求信号中から検出した前記一つの子機のＩＤ番号を付与した光回線使用許可信号を前記複数の子機に向けて送信し、更に、前記複数の子機が前記親機からの前記光回線使用許可信号に付与された前記一つの子機のＩＤ番号を検出することで、前記一つの子機以外の他の子機のＩＤ番号が該一つの子機のＩＤ番号と一致した時には、前記一つの子機のＩＤ番号と一致した子機のみが取得済みのＩＤ番号を破棄して前記乱数を用いて新たなＩＤ番号に更新するように成した光無線通信システムであって、
各子機は、前記ＩＤ番号を初期化するＩＤ初期化部と、前記ＩＤ番号を生成する必要性があるか否かを判定する判定部と、前記判定部で前記ＩＤ番号を生成する必要性があると判定したときに前記乱数を用いて該ＩＤ番号を生成するＩＤ番号生成部と、前記ＩＤ番号生成部で生成した前記ＩＤ番号を保持するＩＤ番号保持部と、前記ＩＤ番号保持部からの前記ＩＤ番号と前記親機から送られた前記光回線使用許可信号中から検出したＩＤ番号とを入力して両ＩＤ番号の一致性を比較するＩＤ番号比較部と、前記判定部の入力側と前記ＩＤ番号比較部の出力側との間に介装されて前記子機が前記光回線使用要求信号を送信した後に前記親機から送られる前記光回線使用許可信号を待つ間は開かれて前記判定部を介して前記ＩＤ番号生成部を動作させないように切り換えるスイッチング手段とを備え、
前記ＩＤ初期化部からの初期化状態と前記ＩＤ番号比較部からの比較結果とを前記判定部に入力してＩＤ番号生成の必要性を判定することを特徴とする光無線通信システムであある。
【００２２】
【発明の実施の形態】
以下に本発明に係る光無線通信システムの一実施例を図１乃至図９を参照して詳細に説明する。
【００２３】
本発明に係る光無線通信システムでは、パケット送信によってデータを光無線により送受信する例えばＩＥＥＥ８０２．３規格に準拠したイーサネット（Ethernet）などのＬＡＮ（Local Area Network）に接続可能なシステムである。また、この実施例では従来例よりも伝送速度を大巾に速めて１００Ｍｂｐｓ（Mega bit per second ）程度の伝送速度で同室内の親機と複数の子機との間で光情報信号を半二重光通信方式により送受信する際に、親機側で複数の子機のＩＤ番号（識別番号）を記憶及び管理することなく、複数の子機のうちで一つの子機が乱数を用いてＩＤ番号（識別番号）を親機に知らせた時に、一つの子機のＩＤ番号がこの一つの子機以外の他の子機のＩＤ番号と一致したならば、一致した他の子機も乱数を用いてＩＤ番号を親機に知らせ、以下同様に全ての子機が異なるＩＤ番号を保有する状態に収束させることを特徴とするものである。
【００２４】
図１は本発明に係る光無線通信システムを説明するための全体構成図、
図２は本発明に係る光無線通信システムにおけるパケット形態を説明するための図である。
【００２５】
図１に示した如く、本発明に係る光無線通信システム１０では、イーサネット環境下で電気的な情報信号を伝送するＬＡＮケーブル１１にハブ１２を介して親機２０が有線で接続されており、且つ、この親機２０は室内の天井１３などに懸架されている。
【００２６】
また、同一室内で親機２０のもとには複数の子機４０（例えば３台の子機４０Ａ，４０Ｂ，４０Ｃ）が従属して設けられており、親機２０と複数の子機４０との間で半二重光通信方式により光情報信号を相互に送受信できるようになっている。
【００２７】
尚、上記した半二重光通信方式とは、親機２０と複数の子機４０との間で伝送媒体である光を介して交信する際に、親機２０は子機４０からの光情報信号を受信している時以外はいつでも複数の子機４０に向けて光情報信号を送信でき、且つ、親機２０の光回線が空いている時に一つの子機４０から送信でき、両者２０，４０間でタイミングをずらして光情報信号を交互に交信する方式であり、これに対して全二重光通信方式とは、親機２０と子機４０との間で光情報信号を双方で同時に交信可能な方式である。
【００２８】
上記した親機２０は、変調した電気的な情報信号を発光素子を用いて光情報信号に変換してこの光情報信号を発光素子から空間に送信する光送信手段と、空間に送信された光情報信号を受光素子を用いて光電変換した後に元の電気的な情報信号に復調する光受信手段とを備えており、且つ、複数の子機４０側に向けて広範囲に親機送信信号２０ａを送信すると共に、各子機４０から送信された子機送信信号４０ａを広い角度で受信できるような拡散型光無線装置として構成されている。
【００２９】
一方、上記した複数の子機４０も、変調した電気的な情報信号を発光素子を用いて光情報信号に変換してこの光情報信号を発光素子から空間に送信する光送信手段と、空間に送信された光情報信号を受光素子を用いて光電変換した後に元の電気的な情報信号に復調する光受信手段とを備えており、且つ、親機２０に向けて子機送信信号４０ａを狭角度で送信すると共に、親機２０側から送信された親機送信信号２０ａを狭い角度で受信できるできるような狭指向角型光無線装置として構成されている。従って、子機４０が狭指向角型光無線装置であるため、子機４０同士の交信は後述するように親機２０を介して行われている。
【００３０】
また、複数の子機４０には、ＯＡ端末機器６０（６０Ａ〜６０Ｃ）が有線でそれぞれ接続されている。尚、子機４０に接続するＯＡ端末機器はいかなるものであっても良く、更に、子機４０内にＯＡ端末機器を内蔵した構造形態であっても良い。
【００３１】
この実施例では、ＯＡ端末機器６０として例えばノート型パソコンを用いており、このノート型パソコン６０の側面に設けたＰＣカードスロット（図示せず）にネットワーク・インターフェース・カード６１が着脱自在に取り付けられ、更に、ネットワーク・インターフェース・カード６１からワイヤ６２を介して子機４０Ａ，４０Ｂに接続したり、あるいは、ノート型パソコン５０の側面に設けたＰＣカードスロット（図示せず）に子機４０Ｃを直接着脱自在に接続している。
【００３２】
ここで、親機２０と複数の子機４０との間で半二重光通信方式により光情報信号を送受信する時にはパケット形態を適用しており、このパケット形態として、例えば、図２（ａ）に示したように親機２０から複数の子機４０に向けて光回線の空き状態を後述する２値バース信号を用いて示す光回線空き信号ＳＰとか、図２（ｂ）に示したように一つの子機４０から親機２０に光回線の使用要求（リンク要求）をするためにリンク要求ヘッダー，送信元子機ＩＤからなる光回線使用要求信号ＲＥとか、図２（ｃ）に示したように親機２０から一つの子機４０に光回線の使用許可（リンク許可）を与えるためにリンク許可ヘッダー，宛先子機ＩＤからなる光回線使用許可信号ＰＭとか、図２（ｄ）に示したように宛先アドレス，送信元アドレス，データからなる親機側（ＬＡＮケーブル側）及び子機側（ＯＡ端末機器側）のデータ信号とかがある。
【００３３】
この際、親機２０と複数の子機４０との間で光回線使用の認証の際に用いられる光回線空き信号ＳＰや光回線使用要求信号ＲＥ、光回線使用許可信号ＰＭは、イーサネット規格に対応したフレームデータを送受信するためのデータパケット長よりも、短いパケット長（時間的に短時間のパケット）となされている。これは、短いパケットであれば例えば複数の子機４０からの光回線使用要求信号ＲＥが衝突したとしても、イーサネット規定の衝突管理時間内に、その衝突を確認することができるからである。
【００３４】
また、上記した“パケット(packet)”とは、パケット交換方式で通信を行う際に単位となるものであり、送信するデータの部分と、宛先や送信元などを示す符号で構成されている。即ち、ＬＡＮケーブル１１と接続した親機２０及び複数の子機４０には、夫々固有のアドレス（送信元アドレス，宛先アドレス）として、図２（ｄ）に示したようにイーサネット環境下におけるイーサネット・アドレスが夫々付与されている。この際、各子機４０が乱数を用いてＩＤ番号を夫々異なるように取得する方法が本発明の要部となるものであり、これについては後で詳述する。
【００３５】
次に、上記した親機２０の構成について、図３及び図４を用いて説明する。
【００３６】
図３は本発明に係る光無線通信システムにおいて、親機の構成を説明するための図であり、（ａ）は親機の全体構成を示し、（ｂ）は親機内の制御部を示した図、
図４は親機内の制御部に設けた光回線空き信号生成部で生成した光回線空き信号を説明するための波形図である。
【００３７】
図３（ａ）に示した如く、親機２０内には、ＬＡＮインターフェース（以下、ＬＡＮ  Ｉ／Ｆと記す）２１と、親機２０の送受信動作を制御する制御部２２と、子機４０から送られたデータ信号Ｄを一時的に記憶するバッファメモリ２３と、光送信手段を構成するエンコーダ部（符号化部）２４，変調部２５，光送信部２６と、光受信手段を構成する光受信部２７，復調部２８，デコーダ部（復号化部）２９とが設けられている。
【００３８】
即ち、親機２０内のＬＡＮ  Ｉ／Ｆ２１は、ＬＡＮケーブル１１とハブ１２を介して直接有線で接続されている。ここで、ＬＡＮケーブル１１と親機２０との間ではデータ信号Ｄを有線で相互に且つ常に授受できる状態に設定されている。この際、データ信号Ｄは親機２０に従属した複数の子機４０に接続されたＯＡ端末機器６０とも相互に授受できる信号である。
【００３９】
また、上記した制御部２２は、ＬＡＮケーブル１１と親機２０との間で有線によるデータ信号Ｄと、親機２０と子機４０との間で光無線による光情報信号を光電変換した後の電気的な情報信号とを適宜処理すると共に、親機２０内の送受信動作を制御している。
【００４０】
また、制御部２２は、図３（ｂ）に示した如く、光回線空き信号生成部２２Ａと、光プリアンブル信号生成部２２Ｂと、光回線使用要求信号検出部２２Ｃと、光回線使用許可信号生成部２２Ｄと、イーサネット信号検出部２２Ｅなどを内部に備えている。
【００４１】
ここで、制御部２２内の各構成部を説明すると、制御部２２内の光回線空き信号生成部２２Ａは、親機２０の光回線が空き状態であることを示す光回線空き信号ＳＰを生成し、更に、光回線空き信号ＳＰに後述する光プリアンブル信号Ｐを付加して複数の子機４０に向けて光送信手段から送信している。上記した光回線空き信号ＳＰは、図４に示したように、２値バースト信号が間欠的に生成されており、この光回線空き信号ＳＰの伝送期間は例えば８０ビットを伝送するに要する略一定期間に設定されている。また、光回線空き信号ＳＰに続いてこの光回線空き信号ＳＰの中点レベルの値で無信号状態を示す無信号ＭＳが生成され、この無信号ＭＳの期間は適宜設定されるが、光回線空き信号ＳＰと無信号ＭＳとを加え合わせた期間が一番長い期間でも５１２ビット以下に設定されている。
【００４２】
再び図３（ｂ）に戻り、制御部２２内の光プリアンブル信号生成部２２Ｂは、交信相手の子機４０と位相同期をとるための光プリアンブル信号Ｐを生成し、この光プリアンブル信号Ｐを光回線空き信号ＳＰ，光回線使用許可信号ＰＭ，データ信号Ｄに一緒に付加している。尚、後述するように、子機４０も光プリアンブル信号Ｐを生成している。そして、親機２０から子機４０に向けて送信する時とか、あるいは、子機４０から親機２０に向けて送信する時に、光プリアンブル信号Ｐは両者２０，４０間で例えば１００Ｍｂｐｓのイーサネット信号を安定して位相同期させるためには、少なくとも３０ビット期間程度に相当する光プリアンブル信号Ｐを図２に示した各パケットに付加している。
【００４３】
また、制御部２２内の光回線使用要求信号検出部２２Ｃは、親機２０が光回線空き信号ＳＰを送信した時に、親機２０に対して交信を望んでいる子機４０が送信した光回線使用要求信号ＲＥを光受信手段で受信し、この光回線使用要求信号ＲＥを検出すると共に、この光回線使用要求信号ＲＥに付与されている子機４０のＩＤ番号を検出している。
【００４４】
また、制御部２２内の光回線使用許可信号生成部２２Ｄは、親機２０に対して交信を望んでいる子機４０からの光回線使用要求信号ＲＥを受信した時に、親機２０から交信を許可することを示す光回線使用許可信号ＰＭを生成している。この際、交信希望の子機４０のＩＤ番号を付与して光回線使用許可信号ＰＭを生成し、更に、光回線使用許可ＰＭに光プリアンブル信号Ｐを付加して交信希望の子機４０に向けて光送信手段から送信している。
【００４５】
また、制御部２２内のイーサネット信号検出部２２Ｅは、ＬＡＮケーブル１１側又は子機４０側から送られた情報信号がイーサネット規格に準拠したデータ信号Ｄであるか否かを判断している。
【００４６】
図３（ａ）に戻り、バッファメモリ２３は、子機４０から送られたデータ信号Ｄを一時的に記憶するものであり、ここでは前述したように各子機４０が狭指向角光無線通信装置に構成されているために子機４０同士の交信が不可能であるので、送信元の子機４０からのデータ信号Ｄを親機２０側で一度受信してバッファメモリ２３に記憶させてから、バッファメモリ２３から読み出したデータ信号Ｄを複数の子機４０に向けて光送信手段から送信している。
【００４７】
次に、親機２０内の光送信手段を説明すると、ＬＡＮケーブル１１側から送られたデータ信号Ｄ又は制御部２２で発生した各種の信号などの情報信号は、制御部２２と接続されたエンコーダ部２４で適宜処理された後、変調部２５に送られる。この変調部２５内では、エンコーダ部２４で適宜処理された情報信号をＮＲＺＩでディジタル変調して、光送信部２６の発光素子から親機送信信号２０ａとして光無線で複数の子機４０に向けて送信している。この際、光送信部２６の発光素子は、親機２０内の電気的な情報信号を赤外光に変換して、この赤外光を全方位に発光している。
【００４８】
次に、親機２０内の光受信手段を説明すると、複数の子機４０から送信される子機送信信号４０ａは、光受信部２７で受信される。この光受信部２７には、赤外光を受光して電気的な情報信号に光電変換するｐｉｎフォトダイオードなどの受光素子を用いて全方位から受光している。また、光受信部２７で受信した子機送信信号４０ａは復調部２８に送られ、復調部２８内で子機送信信号４０ａが復調されて、その後、デコーダ部２９で元の情報信号に戻されて、制御部２２に送られている。そして元の情報信号に戻された後の情報信号は、ＬＡＮ  Ｉ／Ｆ２１を介してＬＡＮケーブル１１側に有線で送信している。
【００４９】
次に、上記した子機４０の構成について、図５を用いて説明する。
【００５０】
図５は本発明に係る光無線通信システムにおいて、子機の構成を説明するための図であり、（ａ）は子機の全体構成を示し、（ｂ）は子機内の制御部を示した図である。
【００５１】
図５（ａ）に示した如く、子機４０内には、光受信手段を構成する光受信部４１，復調部４２，デコーダ部（復号化部）４３と、光送信手段を構成するエンコーダ部（符号化部）４４，変調部４５，光送信部４６と、子機３０の送受信動作を制御する制御部４７と、インターフェース（以下、Ｉ／Ｆと記す）４８とが設けられている。
【００５２】
まず、子機４０内の光受信手段を説明すると、親機２０からの親機送信信号２０ａは光受信部４１内の受光素子で受信された後、受光素子で光電変換された親機送信信号２０は復調部４２に送られて、この復調部４２で復調されてデコーダ部（復合化部）４３で元の情報信号に戻されて、制御部４７に送られる。そして元の情報信号に戻された後の情報信号は、Ｉ／Ｆ４８と有線で接続されたＯＡ端末機器６０に送られ、ＯＡ端末機器６０で適宜な情報処理が行われる。
【００５３】
一方、子機４０内の光送信手段を説明すると、ＯＡ端末機器６０からのデータ信号Ｄは、Ｉ／Ｆ４８，制御部４７を介してエンコーダ部４４で適宜処理された後、変調部４５に送られる。そして、変調部４５で情報信号をＮＲＺＩでディジタル変調して、光送信部４６内の発光素子から子機送信信号４０ａを親機２０に向けて光無線で送信している。
【００５４】
また、制御部４７は、図５（ｂ）に示した如く、光回線空き信号検出部４７Ａと、光プリアンブル信号生成部４７Ｂと、光回線使用要求信号生成部４７Ｃと、子機ＩＤ番号生成／保持／判定部４７Ｄと、光回線使用許可信号検出部４７Ｅと、イーサネット信号検出部４７Ｆなどを内部に備えている。
【００５５】
ここで、制御部４７内の各構成部を説明すると、制御部４７内の光回線空き信号検出部４７Ａは、親機２０の光回線が空き状態であることを示す光回線空き信号ＳＰが親機２０から送信された時に、光受信手段で受信した光回線空き信号ＳＰを検出している。
【００５６】
また、制御部４７内の光プリアンブル信号生成部４７Ｂは、交信相手の親機２０と位相同期をとるための光プリアンブル信号Ｐを生成し、この光プリアンブル信号Ｐを光回線使用要求信号ＲＥ，データ信号Ｄに一緒に付加している。
【００５７】
また、制御部４７内の光回線使用要求信号生成部４７Ｃは、親機２０からの光回線空き信号ＳＰを検出して、親機２０に対して交信を希望する時に自分自身のＩＤ番号を付与した光回線使用要求信号ＲＥを生成し、更に、光回線使用要求信号ＲＥに光プリアンブル信号Ｐを付加して親機２０に向けて光送信手段から送信している。
【００５８】
また、制御部４７内の子機ＩＤ番号生成／保持／判定部４７Ｄは、本発明の要部となるものである。この子機ＩＤ番号生成／保持／判定部４７Ｄは、複数の子機４０のうちで一つの子機４０が電源を立ち上げた時に乱数を用いて自分自身のＩＤ番号を取得する場合とか、あるいは、乱数を用いて取得した一つの子機４０のＩＤ番号とＩＤ番号取得済みの子機４０のＩＤ番号とが一致していると判断した時に、ＩＤ番号取得済みの子機４０が乱数を用いて自分自身のＩＤ番号を更新する場合に適用するために設けられたものであり、各子機４０同士のＩＤ番号が互いに異なるようにＩＤ番号を生成し、このＩＤ番号を保持すると共に、ＩＤ番号生成の必要性を判定するように構成されたものであり、これについては後で詳述する。
【００５９】
また、制御部４７内の光回線使用許可信号検出部４７Ｅは、親機２０から送られた光回線使用許可信号ＰＭを光受信手段で受信した時に、この光回線使用許可信号ＰＭに付与されているＩＤ番号が自分宛てのＩＤ番号である時に、親機２０との交信を許可するものであり、この光回線使用許可信号ＰＭを検出後、データ信号Ｄを親機２０に向けて送信できる。
【００６０】
また、制御部４７内のイーサネット信号検出部２２Ｅは、親機２０側又はＯＡ端末機器６０側から送られた情報信号がイーサネット規格に準拠したデータ信号Ｄであるか否かを判断している。
【００６１】
次に、本発明の要部となる子機４０のＩＤ番号を取得するために子機４０内の制御部４７に設けた子機ＩＤ番号生成／保持／判定部４７Ｄの構成及び動作について図６乃至図８を用いて詳述する。
【００６２】
図６は図５に示した子機ＩＤ番号生成／保持／判定部の構成を示した図、図７は本発明に係る光無線通信システムにおいて、子機のＩＤ番号を生成するフロー図、
図８は本発明に係る光無線通信システムにおいて、親機と複数の子機との間で子機のＩＤ番号を取得するタイミングを示した図である。
【００６３】
図６に示した如く、子機４０内の制御部４７に設けた子機ＩＤ番号生成／保持／判定部４７Ｄは、ＩＤ初期化部４７Ｄ１と、判定部（以下、ＥＸ−ＯＲ部と記す）４７Ｄ２と、ＩＤ番号生成部（乱数発生部）４７Ｄ３と、ＩＤ番号保持部４７Ｄ４と、ＩＤ番号比較部４７Ｄ５と、スイッチング手段（ＳＷ）４７Ｄ６とで構成されている。
【００６４】
ここで、子機ＩＤ番号生成／保持／判定部４７Ｄの各構成部について説明すると、ＩＤ初期化部４７Ｄ１は、子機４０の電源が立ち上がっていない時には“０”の値が出力されると共に、子機４０の電源を立ち上がってから所定期間又は子機４０の電源を立ち上げている状態で子機４０がＩＤ初期化を望んだ所定期間に亘って“１”の値が出力されるようになっており、且つ、ＩＤ初期化部４７Ｄ１の出力はＥＸ−ＯＲ部４７Ｄ２の一方の入力端子に入力されている。そして、子機４０の電源を立ち上げた時には、この子機は上記した所定期間中に自分自身のＩＤ番号を取得する必要があるので、ＥＸ−ＯＲ部４７Ｄ２の一方の端子に“１”の値を入力している。
【００６５】
また、上記したＥＸ−ＯＲ部４７Ｄ２は、子機４０のＩＤ番号生成の必要性を判定する判定部であり、このＥＸ−ＯＲ部４７Ｄ２の他方の入力端子には、ＩＤ番号比較部４７Ｄ５からの比較結果がスイッチング手段（ＳＷ）４７Ｄ６を介して入力されている。このスイッチング手段（ＳＷ）４７Ｄ６は、子機４０が光回線使用要求信号ＲＥを親機２０に送信した後に、親機２０から送られる光回線使用許可信号ＰＭを待つ間は開かれる（点線側）ことにより、自分のＩＤ番号を受信をした場合には、ＩＤ番号生成部４７Ｄ３を駆動させないためのものである。尚、スイッチング手段（ＳＷ）４７Ｄ６は、周知のスイッチ又は論理回路を用いれば良いものである。
【００６６】
また、ＥＸ−ＯＲ部４７Ｄ２の出力端子からの判定結果は、ＩＤ番号生成部（乱数発生部）４７Ｄ３に入力されている。上記したＩＤ番号生成部（乱数発生部）４７Ｄ３は、ＥＸ−ＯＲ部４７Ｄ２でＩＤ番号生成の必要性有りと判定された時に乱数を用いて子機４０のＩＤ番号を生成しており、ここで生成したＩＤ番号は、ＩＤ番号保持部４７Ｄ４と、制御部４７内に設けた光回線使用要求信号生成部４７Ｃとに送られている。
【００６７】
そして、ＩＤ番号保持部４７Ｄ４ではＩＤ番号生成部４７Ｄ３で生成したＩＤ番号を自分自身のＩＤ番号として保持すると共に、このＩＤ番号をＩＤ番号比較部４７Ｄ５に送っている。
【００６８】
一方、制御部４７内に設けた光回線使用要求信号生成部４７Ｃでは、前述したように、ＩＤ番号生成部４７Ｄ３から送られたＩＤ番号を付与して光回線使用要求信号ＲＥを生成し、更に、光回線使用要求信号ＲＥに光プリアンブル信号生成部４７Ｂからの光プリアンブル信号Ｐを付加して子機４０側の光送信手段を介して親機２０に向けて送信している。この後、親機２０は光回線使用要求信号ＲＥを送信してきた子機４０に向けて光回線使用許可信号ＰＭを返信するので、親機２０に従属した全ての子機４０は親機２０からの光回線使用許可信号ＰＭを子機４０側の光受信手段で受信可能となる。これに伴って、各子機４０の光回線使用許可信号検出部４７Ｅは、光回線使用許可信号ＰＭに付与されている子機４０のＩＤ番号を検出し、この検出したＩＤ番号をＩＤ番号比較部４７Ｄ５に送っている。
【００６９】
ここで、電源を立ち上げてＩＤ初期化をした一つの子機４０の場合には、ＩＤ初期化時にＥＸ−ＯＲ部４７Ｄ２の一方の端子に“１”の値が入力され、他方の端子に“０”の値が入力されているので、ＥＸ−ＯＲ部４７Ｄ２の出力端子から“１”の値が出力されてＩＤ番号生成可能となり、この後、一つの子機４０はＩＤ番号生成部４７Ｄ３で乱数を用いてＩＤ番号を取得してＩＤ番号保持部４７Ｄ４に保持し、保持したＩＤ番号をＩＤ番号比較部４７Ｄ５に入力する。そして、この場合には自分自身のＩＤ番号を比較するので、ＩＤ番号保持部４７Ｄ４に保持したＩＤ番号と、親機２０から返信された光回線使用許可信号ＰＭ中から検出したＩＤ番号とが同じであるため、ＩＤ番号比較部４７Ｄ５からＩＤ番号が一致している旨の“１”の値をＥＸ−ＯＲ部４７Ｄ２の他方の入力端子に入力している。この時、ＥＸ−ＯＲ部４７Ｄ２の一方の入力端子にはＩＤ初期化してから所定期間内であるので“１”の値が入力されたままとなっているので、従って、ＥＸ−ＯＲ部４７Ｄ２の両入力端子には共に“１”の値が入力されているため、ＥＸ−ＯＲ部４７Ｄ２の出力結果は“０”となりＩＤ番号生成不必要の判定がなされ、この後は、一つの子機４０はＩＤ番号を生成することなく、今回、乱数を用いて取得したＩＤ番号を使用する。
【００７０】
一方、今回、乱数を用いてＩＤ番号を取得した一つの子機４０以外の他の子機機４０は既にＩＤ番号を取得済みであり、取得済みのＩＤ番号がＩＤ番号保持部４７Ｄ４に保持されている。また、親機２０から送信された光回線使用許可信号ＰＭは全ての子機４０で受信可能であり、光回線使用許可信号検出部４７Ｅで検出した光回線使用許可信号ＰＭに付与されている子機４０のＩＤ番号は自分宛てのものでないものの、検出したＩＤ番号をＩＤ番号比較部４７Ｄ５に送っている。そして、ＩＤ番号比較部４７Ｄ５で取得済みのＩＤ番号と、光回線使用許可信号ＰＭから検出したＩＤ番号とを比較して、両者が一致しているならばＩＤ番号比較部４７Ｄ５から“１”の値が出力され、両者が不一致ならばＩＤ番号比較部４７Ｄ５から“０”の値が出力される。ここで、他の子機機４０は電源が立ち上がっていてもＩＤ初期化が一度は済んでいる状態なので、ＥＸ−ＯＲ部４７Ｄ２の他方の端子に“０”の値が入力されている。従って、一つの子機４０のＩＤ番号と他の子機４０のＩＤ番号が一致している時には、ＥＸ−ＯＲ部４７Ｄ２の各入力端子に“１”，“０”の値が入力されるので、ＥＸ−ＯＲ部４７Ｄ２は一致している子機４０に対してＩＤ番号生成必要ありと判定され、直ちにＩＤ初期化を行って上記と同様に乱数を用いて新たなＩＤ番号の取得をする。一方、一つの子機４０のＩＤ番号と他の子機４０のＩＤ番号が不一致ならば、ＥＸ−ＯＲ部４７Ｄ２の各入力端子に共に“０”の値が入力されるので、他の子機４０はＩＤ番号生成不必要となり、既に取得したＩＤ番号をそのまま使用できる。
【００７１】
次に、上記した子機ＩＤ番号生成／保持部４７における子機のＩＤ番号生成フローについて図７に従って説明する。
【００７２】
図７に示した如く、まず、ステップ１でＩＤ番号生成フローをスタートさせた後に、ステップ２でＩＤ初期化がなされているか否かを問う。ここで、ＩＤ初期化がなされている（ＹＥＳ）場合には、ステップ３で乱数を用いて新規ＩＤ番号を生成し、取得した新規ＩＤ番号を親機２０を介して全ての子機４０に対して通知し、ステップ４でＩＤ番号生成フローを終了する。
【００７３】
一方、ステップ２でＩＤ初期化の過程ではない（Ｎ０）場合には、ステップ５で他の子機４０からＩＤ番号を通知されたか否かを問う。ここで、他の子機４０からＩＤ番号を通知されていない（Ｎｏ）場合には、ステップ４に移行してＩＤ番号生成フローを終了する一方、他の子機４０からＩＤ番号を通知された（ＹＥＳ）場合にはステップ６に移行する。
【００７４】
次に、ステップ６では、他の子機４０から通知されたＩＤ番号が自分のＩＤ番号と一致しているか否かを問う。ここで、ＩＤ番号が一致していない（ＮＯ）場合には、ステップ４に移行してＩＤ番号生成フローを終了する一方、ＩＤ番号が一致している（ＹＥＳ）場合には、ステップ７で乱数を用いて新規ＩＤ番号を生成し、取得した新規ＩＤ番号を親機２０を介して全ての子機４０に対して通知し、ステップ４でＩＤ番号生成フローを終了する。
【００７５】
上記のようにして、複数の子機４０のうちで一つの子機４０が乱数を用いてＩＤ番号を取得した時に、一つの子機４０のＩＤ番号に対して取得済みのＩＤ番号が一致した他の子機４０は、これまで保持していたＩＤ番号を破棄し、乱数を用いてＩＤ番号を更新し、以下、親機２０に従属している複数の子機４０のＩＤ番号が全て異なる状態に至るまで上記と同様に繰り返すものの、ＩＤ番号のビット長さが参入可能性のある子機４０の最大値よりも十分大きなビット長さであれば、新規に生成されたＩＤ番号が既に取得済みの子機のＩＤ番号と合致する確率は極めて低くなり、全ての子機４０が異なるＩＤ番号を保有する状態に簡単に収束する。
【００７６】
次に、親機２０と複数の子機４０との間で光情報信号を交信する際に、子機４０のＩＤ番号を取得するタイミングを図８を用いて説明する。
【００７７】
図８に示した如く、まず、親機２０は、子機４０との位相同期を取るための光プリアンブル信号Ｐを付加して光回線が空き状態であることを示す光回線空き信号ＳＰを複数の子機４０に向けて間欠的に送信する。
【００７８】
また、親機２０に従属する複数の子機４０のうちで、例えば子機４０Ａは電源を立ち上げる寸前の状態であり、一方、子機４０Ｂは既に電源を立ち上げており、且つ、自分自身のＩＤ番号を既に取得済みの状態であるとして以下説明する。
【００７９】
ここで、子機４０Ａが電源を立ち上げた直後に子機４０Ａは所定期間に亘って初期化信号“１”を出力していると共に、この所定期間中の前半で光回線空き信号ＳＰが送信されている最中に乱数を用いてＩＤ番号を生成する。そして、親機２０から光回線空き信号ＳＰが送信された直後で親機２０が無信号の時に、子機４０Ａは乱数を用いて生成したＩＤ番号を付与した光回線使用要求信号ＲＥを光プリアンブル信号Ｐと一緒に親機２０に向けて送信する。この時、各子機４０Ａ，４０Ｂは狭指向角型光無線装置に構成されているために、子機４０Ａからの光回線使用要求信号ＲＥは子機４０Ｂで受信できない。
【００８０】
この後、子機４０Ａからの光回線使用要求信号ＲＥを受信した親機２０は、光回線使用要求信号ＲＥ中から子機４０ＡのＩＤ番号を検出し、この子機４０ＡのＩＤ番号を付与した光回線使用許可信号ＰＭを光プリアンブル信号Ｐと一緒に子機４０Ａ，４０Ｂに向けて送信するので、子機４０ＡはＩＤ番号を取得できたことになる。
【００８１】
この時、親機２０は拡散型光無線装置に構成されているために、子機４０Ｂも親機２０からの光回線使用許可信号ＰＭを受信するので、この子機４０Ｂは直ちに光回線使用許可信号ＰＭに付与されたＩＤ番号が既に取得した自分自身のＩＤ番号と一致しているか否かを先に説明した方法で判断し、一致しない場合には既に取得したＩＤ番号をそのまま保持する一方、一致していた場合にはＩＤ初期化を行うと共に乱数を用いてＩＤ番号を更新し、この後、親機２０から光回線空き信号ＳＰが送信された直後で親機２０が無信号の時に更新したＩＤ番号を付与した光回線使用要求信号ＲＥを光プリアンブル信号Ｐと一緒に親機２０に向けて送信し、親機２０から更新されたＩＤ番号を付与した光回線使用許可信号ＰＭが返信されるので、子機４０Ｂは更新したＩＤ番号を取得できたことになる。
【００８２】
以下、親機２０に従属する他の子機４０も同様な方法で取得済みのＩＤ番号を保持したり、又はＩＤ番号を更新し、全ての子機４０のＩＤ番号が異なるようにしている。
【００８３】
尚、親機２０から光回線使用許可信号ＰＭが送られた場合には、親機２０に光回線使用要求信号ＲＥを送信した子機４０が光回線使用許可信号ＰＭを受信した直後に直ちにデータ信号Ｄを親機２０に向けて送信可能になっており、親機２０はこの子機４０からデータ信号Ｄが送られことを予想してしばらくの間無信号状態を保つがこの無信号期間は最大５１２ビット以下に設定されている。
【００８４】
次に、複数の子機４０がそれぞれ異なるＩＤ番号を取得している状態で、半二重光通信により親機２０と子機４０との間でデータパケット（図９中のフレームデータ）を送信する場合について、図１，図９を併用して説明する。
【００８５】
図９は本発明に係る光無線通信システムにおいて、親機と子機との間でデータパケットを送信するタイミングを説明するための図である。
【００８６】
図９に示した如く、ＯＡ端末機器６０が発生したフレームデータＦ１を子機４０から親機２０に送信する場合、先ず、図中タイミングＴ１として、親機２０は、光回線の空きを示す光回線空き信号ＳＰに光プリアンブル信号Ｐを付加して子機４０に向けて送信する。子機４０は、この光回線空き信号ＳＰを検出（受光）し、且つ自分が光回線を使用したい場合、光回線の使用を要求する光回線使用要求信号ＲＥを生成し、図中タイミングＴ２に示すように、親機２０が無信号状態のとき、その光回線使用要求信号ＲＥに光プリアンブル信号Ｐを付加して親機２０に向けて送信する。
【００８７】
この光回線使用要求信号ＲＥを受け取った親機２０は、光回線の使用が可能であるとき、その光回線使用要求信号ＲＥを送信してきた子機４０に対して、図中タイミングＴ３に示すように、光回線の使用を許可する光回線使用許可信号ＰＭに光プリアンブル信号Ｐを付加して送信する。なお、光回線使用許可信号ＰＭは、その光回線の使用が許可された子機４０以外の子機４０に対して、光回線の使用状態を知らせるための信号でもある。
【００８８】
親機２０から光回線使用許可信号ＰＭを受け取った子機４０は、ＯＡ端末機器６０からネットワーク・インターフェース・カード６１，ワイヤ６２を介して介して受け取ったフレームデータＦ１を図中タイミングＴ４に示すように内部の光送信手段に有線で送信し、さらに、当該光送信手段の発光素子から図中タイミングＴ５に示すように光プリアンブル信号Ｐを付加して親機２０に向けて送信する。
【００８９】
親機２０は、子機４０から送られてきたフレームデータＦ１を、図中タイミングＴ６に示すようにＬＡＮケーブル１１側に有線で送信する。次のフレームデータＦ２の場合の動作もフレームデータＦ１の場合と同様である。
【００９０】
尚、本実施の形態の光無線通信システムにおいて、例えばＯＡ端末機器６０ＡからＯＡ端末機器６０Ｂ（即ち、子機４０Ａから子機４０Ｂ）にフレームデータ（データパケット）を送信するような場合には、先ず、送信側のＯＡ端末機器６０Ａから子機４０Ａを介して親機２０に対してフレームデータを送信し、親機２０は、当該フレームデータを内蔵したバッファメモリ２３（図３）に一旦保存するようにし、そして、送信側のＯＡ端末機器６０Ａ（子機４０Ａ）からのフレームデータを全て受信し終わった後、当該バッファメモリ２３に保存したフレームデータを読み出して受信側の子機４０ＢのＯＡ端末機器６０Ｂへ送信する。
【００９１】
このように、本実施の形態の光無線通信システムにおいては、複数の子機４０のうち、親機２０側が認証（光回線の使用を許可）した子機４０との間でのみ、当該親機２０と子機４０との間の光無線通信が行われ、また、一方から他方への光送信を相手方が無信号状態のときに行う、半二重通信方式を採用している。すなわち、本実施の形態では、１対複数の装置間の通信において半二重光通信方式を採用することで、光拡散通信における反射光の影響を回避し、全二重通信方式のような光反射による受信信号品質の低下を防止している（通信品質を向上させている）。
【００９２】
また、本実施の形態において、親機２０による子機４０に対する光回線使用の認証（光回線の使用許可）の際には、先ず子機４０側が光回線使用要求信号ＲＥに子機固有のＩＤ番号を付与して送出し、一方、親機２０側は、光回線使用要求信号ＲＥに付与されている子機４０のＩＤ番号を光回線使用許可信号ＰＭを用いて送り返すようになされ、これにより当該子機ＩＤの返送を受けた子機４０のみが光回線を使用可能となっている。
【００９３】
【発明の効果】
以上詳述した本発明に係る光無線通信システムによれば、光発信手段及び光受信手段を有する親機と、この親機に従属し、且つ、光発信手段及び光受信手段をそれぞれ有する複数の子機とで少なくとも構成され、親機と交信を希望する子機との間で光情報信号を半二重光通信方式により送受信する際に用いる子機のＩＤ番号が各子機同士互いに異なるようにＩＤ番号を取得する場合、親機側で複数の子機の各ＩＤ番号を記憶及び管理する必要がないので、親機はＩＤ番号を記憶及び管理する構成部材が削減され、親機の動作が簡素化できると共に親機の部品コストを削減できる。また、複数の子機のうちで一つの子機が電源を立ち上げてＩＤ番号を取得する時に、他の子機が同時に電源を立ち上げて偶然にも同一野乱数を発生させるような現象が全く生じないので、子機同士の衝突現象を完全に防ぐことができる。
【図面の簡単な説明】
【図１】  本発明に係る光無線通信システムを説明するための全体構成図である。
【図２】  本発明に係る光無線通信システムにおけるパケット形態を説明するための図である。
【図３】  本発明に係る光無線通信システムにおいて、親機の構成を説明するための図である。
【図４】  親機内の制御部に設けた光回線空き信号生成部で生成した光回線空き信号を説明するための波形図である。
【図５】  本発明に係る光無線通信システムにおいて、子機の構成を説明するための図である。
【図６】  図５に示した子機ＩＤ番号生成／保持／判定部の構成を示した図である。
【図７】  本発明に係る光無線通信システムにおいて、子機のＩＤ番号を生成するフロー図である。
【図８】  本発明に係る光無線通信システムにおいて、親機と複数の子機との間で子機のＩＤ番号を取得するタイミングを示した図である。
【図９】  本発明に係る光無線通信システムにおいて、親機と子機との間でデータパケットを送信するタイミングを説明するための図である。
【図１０】  従来の構内情報通信システムを説明するための全体構成図である。
【符号の説明】
１０…本発明に係る光無線通信システム。
２０…親機、
２２…制御部、
２２Ａ…光回線空き信号生成部、２２Ｃ…光回線使用要求信号検出部、
２２Ｄ…光回線使用許可信号生成部、
２６…光送信部、２７…光受信部、
４０…子機、
４１…光受信部、４６…光送信部、
４７…制御部、
４７Ａ…光回線空き信号検出部、４７Ｃ…光回線使用要求信号生成部、
４７Ｄ…子機ＩＤ番号生成／保持／判定部、
４７Ｄ１…ＩＤ初期化部、４７Ｄ２…判定部（ＥＸ−ＯＲ部）、
４７Ｄ３…ＩＤ番号生成部（乱数発生部）、４７Ｄ４…ＩＤ番号保持部、
４７Ｄ５…ＩＤ番号比較部、４７Ｄ６…スイッチング手段（ＳＷ）、
４７Ｅ…光回線使用許可信号検出部。
【図１】
0003791321.tif 000002
【図２】
0003791321.tif 000003
【図３】
0003791321.tif 000004
【図４】
0003791321.tif 000005
【図５】
0003791321.tif 000006
【図６】
0003791321.tif 000007
【図７】
0003791321.tif 000008
【図８】
0003791321.tif 000009
【図９】
0003791321.tif 000010
【図１０】
0003791321.tif 000011